(57)【要約】【課題】複数媒体がＲ／Ｗ装置の通信可能領域に入り、共振周波数が変化した場合であっても通信可能なＲ／Ｗ装置を提供すること。【解決手段】複数媒体がＲ／Ｗ装置の通信可能領域に入ると、Ｒ／Ｗ装置から送信されるポーリングコマンドに対して、媒体から送信される応答により媒体の種類及び枚数が検知される。Ｒ／Ｗ装置はこの情報、及び上位装置の情報を基に生成されたアンテナ回路制御のビットマップパターンにより、アンテナ用コイルのインダクタンス又は共振周波数用コンデンサの値が設定されて共振周波数が調整される。【選択図】  図１
2010039850.tif 000002
【特許請求の範囲】
【請求項１】
磁界を発生することによって媒体との通信を非接触で行う無線送受信装置であって、
前記媒体と送受信するアンテナ回路と、
このアンテナ回路で受信する信号又は送信する信号を処理する送受信回路と、
前記アンテナ回路と接続され、前記送受信回路によって、前記媒体が検知されたとき、当該検知された媒体の種類、媒体の数によって、前記アンテナ回路の回路定数を設定する制御手段と、
を備え、前記制御手段によって設定されたアンテナ回路の回路定数に基づいて、当該媒体と送受信することを特徴とする無線送受信装置。
【請求項２】
前記アンテナ回路は、
複数の送受信用コイルと、
複数の共振用コンデンサと、
前記送受信用コイルを直列又は直並列接続するための第１の切換手段と、
この切換手段によって形成された送受信用コイルに前記共振用コイルを並列接続するための第２の切換手段と、を備え、
前記制御手段は、
前記第１の切換手段及び前記第２の切換手段を制御することにより前記アンテナの回路定数を可変するものであることを特徴とする請求項１記載の無線送受信装置。
【請求項３】
磁界を発生することによって媒体との通信を非接触で行う無線送受信装置の無線送受信方法であって、
前記無線送受信装置が定期的にポーリングコマンドを送出し、媒体が通信可能領域に入るのを待ち受ける第１ステップと、
この第１ステップの後、媒体から前記ポーリングコマンドに対する応答を受信する第２ステップと、
この第２ステップにおいて、ポーリングコマンドに対する応答に含まれるシステムコードを検知する第３ステップと、
この第３ステップにおいて、複数のシステムコードが検知され、かつ、同時に使用されるとき、当該システムコードから検知された媒体種別及びその枚数によって前記アンテナ回路の回路定数を設定する第４ステップと、
この第４ステップで設定されたアンテナ回路の回路定数に基づいて、単一の媒体又は複数の媒体と通信を行う第５ステップと、
を備えたことを特徴とする無線送受信装置の無線送受信方法。
【請求項４】
前記システムコードは、
当該無線送受信装置で適用可能な媒体に対応した複数のシステムコードをポーリングコマンドと共に送信され、
前記媒体は、当該無線送受信装置から送信されたシステムコードに適用可能な場合に応答することを特長とする請求項３記載の無線送受信装置の無線送受信方法。
【発明の詳細な説明】
【技術分野】
【０００１】
本発明は、自動改札装置などにおいて、乗車券などに用いられる非接触型ＩＣカードと非接触で送受信を行う無線送受信装置及び無線送受信方法に関する。
【背景技術】
【０００２】
近年、駅務機器における自動改札装置や係員処理装置などには、乗車券として用いられる非接触型ＩＣカード（以下、ＩＣカードと称する。）などの媒体と送受信を行い、通行の可否を判別する無線送受信装置としての非接触型ＩＣカードリーダ・ライタ（以下、Ｒ／Ｗ装置と称する。）が備えられている場合が多い。
【０００３】
このＲ／Ｗ装置は、装置の内部に配置したアンテナから磁界を発生することによって上記ＩＣカードと非接触で通信を行う。
【０００４】
図９は、従来のＲ／Ｗ装置１１０を用いた無線送受信システム１００の一例である。無線送受信システム１００は、Ｒ／Ｗ装置１１０及びこのＲ／Ｗ装置１１０と接続された上位装置１３０で構成される。
【０００５】
Ｒ／Ｗ装置１１０は、媒体１２０がＲ／Ｗ装置１１０の通信可能領域内に入ると無線による送受信を行うことができる。このような構成により、上位装置１３０は、Ｒ／Ｗ装置１１０を介して媒体１２０と通信を行うことができる。
【０００６】
上記構成において、上位装置１３０は、Ｒ／Ｗ装置１１０に信号伝送に関するコマンドを送出する。このコマンドを受け、Ｒ／Ｗ装置１１０はポーリングを開始し、媒体１２０がＲ／Ｗ装置１１０の通信領域に入ると、この媒体１２０との間で通信を行い、その結果を上位装置１３０に送信する。
【０００７】
Ｒ／Ｗ装置１１０は、制御用ＣＰＵ１１１、電源回路１１２、送受信回路１１３、アンテナ回路１１４及びメモリ１１５から構成され、外部から供給された電力は、電源回路１１２を通じて制御用ＣＰＵ１１１及び送受信回路１１３へ供給される。
【０００８】
上述したＩＣカードとＲ／Ｗ装置の通信を安定的に行う方法として、Ｒ／Ｗ装置に搭載されたディップスイッチなどにより周波数調整モードに設定し、基準ＩＣカードに対するＲ／Ｗ装置の最適な共振周波数を設定するために複数のコンデンサを切り換える方法が知られている（例えば、特許文献１参照。）。
【特許文献１】特開２００７―６０５２６号公報（第６−７頁、図３）
【発明の開示】
【発明が解決しようとする課題】
【０００９】
しかしながら、上記従来のＩＣカードは、多種多様な媒体（ＩＣカード、ＩＣ携帯など）が非接触ＩＣカードを利用するシステムに利用されており、その共振周波数はさまざまである。また、複数枚のＩＣカードを重ねて一度に通信するような運用も行われるようになってきている。複数枚のＩＣカードを重ねるとＩＣカード単体の場合より共振周波数が下がるため、ＩＣカードを重ねて利用することを許容するシステムの場合、さらに通信対象となる媒体の共振周波数が多種多様になる。良好な通信性能を発揮するためには通信対象となる媒体の共振周波数に合うようにリーダライタアンテナの共振周波数を設定する必要があり、周波数が異なる様々な媒体に一様に対応するようリーダライタのアンテナの共振周波数を設定・調整することが困難であった。
【００１０】
本発明は、上記課題を解決するためになされたもので、複数媒体がＲ／Ｗ装置の通信可能領域に入り、共振周波数が変化した場合であっても通信可能なＲ／Ｗ装置を提供することを目的とする。
【課題を解決するための手段】
【００１１】
上記目的を達成するために、本発明の請求項１記載の無線送受信装置は、磁界を発生することによって媒体との通信を非接触で行う無線送受信装置であって、前記媒体と送受信するアンテナ回路と、このアンテナ回路で受信する信号又は送信する信号を処理する送受信回路と、前記アンテナ回路と接続され、前記送受信回路によって、前記媒体が検知されたとき、当該検知された媒体の種類、媒体の数によって、前記アンテナ回路の回路定数を設定する制御手段と、を備え、前記制御手段によって設定されたアンテナ回路の回路定数に基づいて、当該媒体と送受信することを特徴とする。
【００１２】
また、本発明の請求項３記載の無線送受信方法は、磁界を発生することによって媒体との通信を非接触で行う無線送受信装置の無線送受信方法であって、前記無線送受信装置が定期的にポーリングコマンドを送出し、媒体が通信可能領域に入るのを待ち受ける第１ステップと、この第１ステップの後、媒体から前記ポーリングコマンドに対する応答を受信する第２ステップと、この第２ステップにおいて、ポーリングコマンドに対する応答に含まれるシステムコードを検知する第３ステップと、この第３ステップにおいて、複数のシステムコードが検知され、かつ、同時に使用されるとき、当該システムコードから検知された媒体種別及びその枚数によって前記アンテナ回路の回路定数を設定する第４ステップと、この第４ステップで設定されたアンテナ回路の回路定数に基づいて、単一の媒体又は複数の媒体と通信を行う第５ステップと、を備えたことを特徴とする無線送受信装置の無線送受信方法。
【発明の効果】
【００１３】
本発明によれば、複数媒体がＲ／Ｗ装置の通信可能領域に入り、共振周波数が変化した場合であっても通信可能なＲ／Ｗ装置を提供することを目的とする。
【発明を実施するための最良の形態】
【００１４】
以下、図面を参照して本発明の実施例を説明する。
【実施例１】
【００１５】
図１は、本発明の実施例１に係る無線送受信装置としての非接触ＩＣカードリーダ・ライタ装置（Ｒ／Ｗ装置）１０を用いた無線送受信システム１である。
【００１６】
この無線送受信システム１は、Ｒ／Ｗ装置１０、上位装置３０で構成され、Ｒ／Ｗ装置１０に接近し、このＲ／Ｗ装置１０の通信可能領域にＩＣカードなどの媒体２０が入るとＲ／Ｗ装置１０は媒体２０と通信を行うことができる。
【００１７】
Ｒ／Ｗ装置１０は、制御用ＣＰＵ１１、電源回路１２、送受信回路１３、アンテナ回路１４及びメモリ１５から構成され、外部から供給された電力は、電源回路１２を通じて制御用ＣＰＵ１１及び送受信回路１３へ供給される。
【００１８】
アンテナ回路１４は、複数の送受信用コイルと、複数の共振用コンデンサと、これら複数の送受信用コイルを直列接続又は直並列接続するためのオン・オフドライバ（第１の切換手段）と、この切換手段によって形成された送受信用コイルに上記共振用コンデンサを並列接続するためのオン・オフドライバ（第２の切換手段）で構成される。
【００１９】
なお、送受信用コイルは、送信用アンテナとしての送信用コイル及び受信用アンテナとしての受信用コイルが分離して用いられる場合があるが、本発明はいずれの場合であっても適用することができる。
【００２０】
上記受信用アンテナは、アンテナの巻き始めと巻き終わりに共振用コンデンサが接続される。制御用ＣＰＵ１１から出力されるアンテナ回路定数制御信号によってオン・オフドライバ（第２の切換手段）が駆動されると、この共振用コンデンサの値が切り換えられ、共振点が変更される。
【００２１】
なお、上記送受信用アンテナで受信した受信信号は、送受信回路１３に配置された（図示しない）検波回路、フィルタ回路及び復調回路などで処理される。
【００２２】
また、上記アンテナ回路１４は、上述したアンテナ回路定数制御信号によってオン・オフドライバ（第１の切換手段）が駆動されると、上記共振用コンデンサが切り換えられた場合と同様に、直列又は直並列に接続される送受信用コイルの接続形態が切り換えられる。
【００２３】
以上説明したように、当該アンテナ回路１４の共振周波数をこのアンテナ回路定数制御信号によって第１の切換手段又は第２の切換手段により、通信可能領域内での共振周波数の許容範囲内で設定される。
【００２４】
図２は、本発明の実施例１に係るアンテナ回路１４ａ及びその制御用ＣＰＵ１１との関係を示す図である。制御用ＣＰＵ１１には、Ｉ／Ｏ出力端子ｂ１〜ｂ４が設けられており、アンテナ回路１４ａの制御入力部ｄ１〜ｄ４に接続される。
【００２５】
制御入力部ｄ１〜ｄ４は、トランジスタＱ１〜Ｑ４のベースｂに接続される。トランジスタＱ１〜Ｑ４のコレクタｃはそれぞれコンデンサＣ１〜Ｃ４に接続される。以下、トランジスタＱ１〜Ｑ４によるドライバ回路は共通に構成されているので、Ｑ１に関する構成及び動作を説明する。
【００２６】
トランジスタＱ１のエミッタｅは基準電位（アース）に接続される。また、コレクタｃはコンデンサＣ１の一方の端子に接続される。トランジスタｅ及びコンデンサＣ１の他方の端子はアンテナＬ１の両端に並列に接続される。
【００２７】
実際には、アンテナＬ１の一方及びトランジスタＱ１のエミッタｅは基準電位に接続される。以上の結果、トランジスタＱ１のベースｂにトランジスタＱ１をオンする「１」が入力されることにより、コンデンサＣ１とトランジスタＱ１オン時の内部インピーダンスｒｃｅが直列に接続された容量性インピーダンスがアンテナＬ１に対して並列に挿入されることになる。ここで、内部インピーダンス（コレクタｃとエミッタｅ間のインピーダンス）ｒｃｅの値が小さい場合には、アンテナＬ１に対してコンデンサＣ１が並列に接続された共振回路が形成される。
【００２８】
内部インピーダンスｒｃｅの低い半導体素子、又はリードリレーなどの接点を有するものを用いることによっても同様の効果を得ることができる。
【００２９】
なお、本実施例ではアンテナの一方の端子は送受信回路に接続されているが、送信アンテナ及び受信アンテナが独立している場合にも本発明を適用することができる。この場合には、独立している送信用アンテナ及び受信用アンテナに対して、共振用コンデンサがそれぞれ別個にアンテナ回路定数制御信号によって接続されることになるが、その効果はアンテナが１個の場合と同様である。
【００３０】
トランジスタＱ２〜Ｑ４はトランジスタＱ１と同様に構成され、各トランジスタのベースｂに接続されたアンテナ回路定数制御信号ｂ２〜ｂ４を「１」にすることによって、そのトランジスタをオンすることができる。当然「０」にすることによってトランジスタをオフにすることができる。
【００３１】
図３は、図２に示すアンテナ回路１４をアンテナ回路定数制御信号によって制御可能なビットパターンを示す。図示した例は、媒体であるＩＣカードの種類がＩＣカードＡ（カードＡ）、ＩＣカードＢ（カードＢ）、ＩＣカードＣ（カードＣ）の場合のアンテナ回路定数制御信号のビットパターンである。
【００３２】
カードＡ単独の場合には、アンテナ回路定数制御信号ｂ２、ｂ３、ｂ４をそれぞれ「１」にし、ｂ１を「０」に設定する。こ場合には、Ｃ２、Ｃ３、Ｃ４がアンテナＬ１に対して並列に接続された状態になる。
【００３３】
カードＢ単独の場合には、アンテナ回路定数制御信号ｂ１、ｂ３、ｂ４をそれぞれ「１」にし、ｂ２を「０」に設定する。この場合には、Ｃ１、Ｃ３、Ｃ４がアンテナＬ１対して並列に接続された状態になる。
【００３４】
カードＣ単独の場合には、アンテナ回路定数制御信号ｂ１、ｂ２、ｂ３、ｂ４をそれぞれ「１」にする。この場合には、Ｃ１、Ｃ２、Ｃ３、Ｃ４がアンテナＬ１に対して並列に接続された状態になる。
【００３５】
次に、２枚のＩＣカード（カードＡ、カードＢ）が共にＲ／Ｗ装置１０の通信可能領域にある場合には、この２枚のカードと通信を行いカードの種類の確認を行う。その結果、カードＡ及びカードＢであることがわかった場合、アンテナ回路定数制御信号ｂ１、ｂ２、ｂ４をそれぞれ「１」にし、ｂ３を「０」に設定する。この場合には、Ｃ１、Ｃ２、Ｃ４がアンテナＬ１に対して並列に接続された状態になる。
【００３６】
同様に２枚のＩＣカード（カードＡ、カードＣ）が共にＲ／Ｗ装置１０の通信可能領域にある場合には、この２枚のカードと通信を行いカードの種類の確認を行う。その結果、カードＡ及びカードＣであることがわかった場合、アンテナ回路定数制御信号ｂ１、ｂ２、ｂ３をそれぞれ「１」にし、ｂ４を「０」に設定する。この場合には、Ｃ１、Ｃ２、Ｃ３がアンテナＬ１に対して並列に接続された状態になる。
【００３７】
図４は、非接触ＩＣカードリーダ・ライタ（Ｒ／Ｗ装置）１０と媒体との通信に係るフローチャートである。
【００３８】
最初にＲ／Ｗ装置１０は、ポーリングコマンドを定期的に送信し、媒体の接近を待ち受けることができる状態にする。ポーリングコマンドは、システムコードを指定し、同じシステムコードを持つ媒体が通信可能領域に入ると、ポーリングコマンド応答をＲ／Ｗ装置１０に送信する（Ｓ１、第１ステップ）。
【００３９】
ここで、システムコードの異なる複数の媒体と同時に通信を行う必要がある場合（例えば、ＩＣカードを２枚以上重ねて運用した場合）は、複数のシステムコードをポーリングコマンドで指定する。それぞれのシステムコードの媒体が当該Ｒ／Ｗ装置１０の通信可能領域入ると、それぞれ指定されたシステムコードをもつ媒体がＲ／Ｗ装置１０に対してポーリングコマンドに対する応答を行う。Ｒ／Ｗ装置１０は、この応答を受信する（Ｓ２、第２ステップ）。
【００４０】
ステップＳ２で受信したポーリングコマンド応答には、媒体の製造ＩＤが含まれる。製造ＩＤは製造者コード、製造機器コード、製造日付、製造シリアル番号のデータなどで構成される。Ｒ／Ｗ装置１０は、媒体からポーリングコマンドに対する応答を受信すると製造ＩＤから媒体の種別を特定する。
【００４１】
また、ポーリング応答数から通信対象の媒体の数を判定する。ここで、例えば、ポーリングの応答から通信対象の媒体がカードＡとカードＢという２種類のカードであることがわかる（Ｓ３、第３ステップ）。
【００４２】
ステップＳ３において検知した媒体の種類及び枚数によりアンテナ回路定数制御信号を設定する。この設定に基づいて制御ＣＰＵ１１からアンテナ回路定数制御信号（ビットパターン）を出力する（Ｓ４、第４ステップ）。
【００４３】
例えば、上述した媒体がカードＡとカードＢがＲ／Ｗ装置１０の通信可能領域に入った場合、制御用ＣＰＵ１１は、アンテナ回路１４ａに対してアンテナ回路定数制御信号（周波数調整信号）を送信し、Ｒ／Ｗ装置１０のアンテナ周波数（共振周波数）をカードＡ及びカードＢの２枚重ね通信に最適化する（Ｓ５、第５ステップ）。ここで、周波数調整信号は、メモリ１５内に媒体別及び媒体の組み合わせ別に予め設定され格納されている。
【００４４】
例えば、媒体がカードＡとカードＢの２枚重ねであると判定された場合は、ｂ１、ｂ２、ｂ３が「１」で、ｂ２が「０」となり、この信号をアンテナ回路１４ａに送信する。
【００４５】
以上説明したように、本発明の実施例１によれば、複数枚の媒体が同時に使用された場合であっても使用されるカードに対するアンテナ周波数（共振周波数）を最適化することによって、様々な媒体に対して良好な通信特性を得ることができる。
【実施例２】
【００４６】
図５は、本発明の第２の実施例に係るアンテナ回路１４ｂ及びその制御用ＣＰＵ１１との関係を示す図である。本実施例２は、実施例１同様にコンデンサの値を調整できるのみならず、アンテナを構成するコイルのインダクタンスの値も調整できるところに特徴がある。以下、変更されている部分を中心に順を追って説明する。
【００４７】
制御用ＣＰＵ１１には、Ｉ／Ｏ出力端子ｂ１〜ｂ５が設けられており、アンテナ回路１４ｂの制御入力部ｄ１〜ｄ５に接続される。
【００４８】
制御入力部ｄ１〜ｄ５は、トランジスタＱ５〜Ｑ９の負荷に接続されたコンデンサＣ５、Ｃ６又はコイルＬ２〜Ｌ４をオン／オフするトランジスタＱ５〜Ｑ９の入力端子であるベースに接続される。以下、実施例１と異なる部分の説明を行う。
【００４９】
トランジスタＱ５は、直並列に接続されたアンテナ（コイル）に対してコンデンサＣ５を並列に接続することができる。
【００５０】
同様にトランジスタＱ６は、直並列に接続されたアンテナ（コイル）に対してコンデンサＣ６を並列に接続することができる。
【００５１】
一方、トランジスタQ７、Q８、Q9はアンテナ（コイルＬ２、Ｌ３、Ｌ４）を単独に又は組み合わせた構成にすることができる。その場合の構成を以下に示す。
【００５２】
アンテナ：Ｌ２・・・・・・・・・（１）
アンテナをＬ２によってのみ構成した場合を示す。
【００５３】
コイル制御信号ｂ３を「１」にしてトランジスタＱ７をオンにすると上記構成が得られる。この場合、コイル制御信号ｂ４、ｂ５のレベルに関わらず上記構成が得られる。
【００５４】
アンテナ：Ｌ２＋Ｌ３・・・・・・（２）
アンテナをＬ２＋Ｌ３によって構成された場合を示す。
【００５５】
コイル制御信号ｂ４を「１」にしてトランジスタＱ８をオンにし、コイル制御信号ｂ３及びｂ５を「０」にしてトランジスタＱ７及びＱ９をオフにすると上記構成が得られる。
【００５６】
アンテナ：Ｌ２＋Ｌ４・・・・・・（３）
アンテナをＬ２＋Ｌ４によって構成された場合を示す。
【００５７】
コイル制御信号ｂ３及びｂ４を「０」にしてトランジスタＱ７及びＱ８をオフにし、コイル制御信号ｂ５を「１」にしてトランジスタＱ９をオンにすると上記構成が得られる。
【００５８】
アンテナ：Ｌ２＋（Ｌ３‖Ｌ４）・・・（４）
アンテナをコイルＬ２と、コイルＬ３及びＬ４の並列回路を直列接続して構成した場合を示す。
【００５９】
ここでL３‖Ｌ４は、コイルＬ３とコイルＬ４が並列に接続された状態を示す。コイル制御信号ｂ３を「０」にし、トランジスタＱ７をオフにし、コイル制御信号ｂ４及びｂ５を「１」にしてトランジスタＱ８及びＱ９をオンにすることによって上記構成が得られる。
【００６０】
以上の方法によってアンテナのインダクタンス値が設定される。このようにして設定さされたアンテナのインダクタンスに対して共振するコンデンサＣ５、Ｃ６がコンデンサ制御信号ｂ１、ｂ２によって設定される。
【００６１】
上述した一例を図６又は図７に示す。
【００６２】
図６は、本実施例２に係る周波数調整のためのアンテナ回路定数制御信号のビットマップパターンの一例図である。
【００６３】
本実施例によれば、媒体としてのカードＡのみがＲ／Ｗ装置１０の通信領域に入った場合には、コンデンサ制御信号ｂ２及びコイル制御信号ｂ３が「１」であるため、コイルＬ２をアンテナとし、コンデンサＣ６を当該コイルＬ２に並列接続した共振回路が形成される。所謂本発明に係るアンテナ回路の基本形である。
【００６４】
次に、媒体としてのカードＢのみが上述同様にＲ／Ｗ装置１０の領域内に入った場合には、コンデンサ制御信号ｂ１及びコイル制御信号ｂ４が「１」であるため、コイルＬ２＋Ｌ３をアンテナとし、コンデンサＣ５を当該コイルＬ２＋Ｌ３に対して並列接続した共振回路が形成される。
【００６５】
次に、媒体としてのカードＣのみが上述同様にＲ／Ｗ装置１０の領域内に入った場合には、コンデンサの制御信号ｂ１・ｂ２及びコイル制御信号ｂ４が「１」であるため、コイルＬ２＋Ｌ３をアンテナとし、コンデンサＣ５及びＣ６を当該コイルＬ２＋Ｌ３に対して並列接続した共振回路が形成される。
【００６６】
次に、媒体としてのカードＡ及びカードＢが同時にＲ／Ｗ装置１０の領域内に入った場合には、コンデンサ制御信号ｂ１・ｂ２及びコイル制御信号ｂ４が「１」であるため、コイルＬ２＋Ｌ３をアンテナとし、コンデンサＣ５及びＣ６を当該コイルＬ２＋Ｌ３に対して並列接続した共振回路が形成される。
【００６７】
次に、媒体としてのカードＡ及びカードＣが同時にＲ／Ｗ装置１０の領域内に入った場合には、コンデンサ制御信号ｂ１・ｂ２及びコイル制御信号ｂ５が「１」であるため、コイルＬ２＋Ｌ４をアンテナとし、コンデンサＣ５及びＣ６を当該コイルＬ２＋Ｌ４に対して並列接続した共振回路が形成される。
【００６８】
本実施例は一例であるため、当該コイルの形状、巻数、Ｒ／Ｗ装置１０の構造などによって、当該コンデンサの容量が設定されるのであって、一義的に設定できるものではない、従って当該回路に基づく他の適用が可能であるのはいうに及ばない。
【００６９】
図７は、本実施例２に係る周波数調整のためのアンテナ回路定数制御信号のビットマップパターン図で、特に、Ｒ／Ｗ装置１０が実装される上位装置３０による共振周波数の変動を吸収する方法に関する。共振周波数は同様に構成されたＲ／Ｗ装置１０であっても、実装される上位装置３０の構造によって共振点がずれる場合がある。それは、アンテナから電磁放射される電波がＲ／Ｗ装置１０を実装する筐体に吸収又は筐体から放射される電磁気によって影響されるためである。従って、当該Ｒ／Ｗ装置１０を実装する上位装置３０の形態によってアンテナ回路定数制御信号ビットパターンが異なってくる。
【００７０】
以上説明したように、同様に構成されたＲ／Ｗ装置１０であっても実装される上位装置３０の形態に応じた周波数調整を行うことによって同一共振点を得ることができるようになる。
【００７１】
図８は、本発明の第２の実施例に係る非接触ＩＣカードリーダ・ライタ（Ｒ／Ｗ装置）１０が上位装置３０に実装されたされた場合、当該Ｒ／Ｗ装置１０と媒体との通信に係るフローチャートである。
【００７２】
最初にＲ／Ｗ装置１０を上位装置３０に実装し、電源を投入する（Ｓ１１）。
【００７３】
次に、上位装置３０から装置種類を特定するためのデータが送信される（Ｓ１２）。
【００７４】
Ｒ／Ｗ装置１０は、ポーリングコマンド連続送信し、媒体が通信可能領域に入るのを待ち受ける（Ｓ１３）。
【００７５】
この状態で、Ｒ／Ｗ装置１０は、媒体からの応答受信中（Ｓ１４のＮｏ）になる。この状態で、当該適用可能媒体が上記通信可能領域に入ると、媒体は、Ｒ／Ｗ装置１０に対してポーリング応答を送信する（Ｓ１４のＹｅｓ）。
【００７６】
送信されたポーリング応答から、ＩＣカードの種類及び枚数を検知する（Ｓ１５）。
【００７７】
Ｒ／Ｗ装置１０は、上記ＩＣカードの種類及び枚数を上位装置３０に送信する。上位装置３０は、当該応答を受信し、当該Ｒ／Ｗ装置１０に最適なアンテナ回路定数制御（ビットマップパターン）を検索し、当該データをＲ／Ｗ装置１０に対して送信する。Ｒ／Ｗ装置１０は、制御ＣＰＵ１１から当該アンテナ回路定数制御（ビットマップパターン）をコンデンサ制御信号（第２切換手段）及びコイル制御信号（第１切換手段）としてアンテナ回路１４ｂに出力する。この出力によって、上位装置３０に対応した共振周波数が調整される（Ｓ１６）。
【００７８】
この結果、Ｒ／Ｗ装置１０を介して、上位装置３０は、媒体１２との間で通信が可能になる。
【図面の簡単な説明】
【００７９】
【図１】本発明の実施例１による非接触ＩＣカードリーダ・ライタ装置を用いた無線送受信システム。
【図２】本発明の実施例１に係るアンテナ回路及びその制御用ＣＰＵとの関係を示す図。
【図３】図２に示すアンテナ回路をアンテナ回路定数制御信号によって設定する場合のビットパターンを示す。
【図４】非接触ＩＣカードリーダ・ライタと媒体との通信に係るフローチャート。
【図５】本発明の第２の実施零に係るアンテナ回路及びその制御用ＣＰＵとの関係を示す図。
【図６】本実施例２に係る周波数調整のためのアンテナ回路定数制御信号のビットマップパターンの一例。
【図７】本実施例２に係る周波数調整「のためのアンテナ回路瀬尾魚信号のビットマップパターン図で、特に、Ｒ／Ｗ装置が実装される上位装置による共振周波数の変動を吸収する方法。
【図８】本発明の第２の実施例に係る非接触ＩＣカードリーダ・ライタが上位装置に実装された場合、当該Ｒ／Ｗ装置と媒体との通信に係るフローチャートである。
【図９】従来のＲ／Ｗ装置を用いたデータ伝送システムの一例。
【符号の説明】
【００８０】
１  無線送受信システム
１０  ＩＣカードリーダ・ライタ装置（Ｒ／Ｗ装置）
１１  制御用ＣＰＵ
１２  電源回路
１３  送受信回路
１４  アンテナ回路
１５  メモリ
２０  媒体
３０  上位装置
Ｌ１〜Ｌ４  コイル
Ｃ１〜Ｃ６  コンデンサ
Ｑ１〜Ｑ９  トランジスタ
【図１】
2010039850.tif 000003
【図２】
2010039850.tif 000004
【図３】
2010039850.tif 000005
【図４】
2010039850.tif 000006
【図５】
2010039850.tif 000007
【図６】
2010039850.tif 000008
【図７】
2010039850.tif 000009
【図８】
2010039850.tif 000010
【図９】
2010039850.tif 000011